(57)【要約】      （修正有）【課題】劇場、映画館等のシートにセットできるチャイルドシートを提供する。【解決手段】空気の吸入で膨張し、又はその排気で収縮するシート本体部１００・肘掛部１０１とで構成し、チャイルドシート１は、膨張時にそのシート本体部１００の前端面部１ａが、シートＡの前端面部より内側に位置する構成とし、シート本体１００の膨張を介して子供が大人の目線を確保できるチャイルドシートとする。【選択図】図２
2005192859.tif 000002
【特許請求の範囲】
【請求項１】
劇場、ミュージカル場、映画館等のシートにセットできる拡縮可能なチャイルドシートであって、
このチャイルドシートは、空気の吸入で膨張し、又はその排気で収縮するシート本体部と、このシート本体部に設けた当該シート本体部の少なくとも両サイドを囲繞する空気の吸入で膨張し、又はその排気で収縮する肘掛部とで構成し、このチャイルドシートは、膨張時にそのシート本体部の前端面部が、前記シートの前端面部より内側に位置する構成とし、前記シート本体の膨張を介して子供が大人の目線を確保できる構成としたチャイルドシート。
【請求項２】
請求項１に記載の肘掛部をシートの肘掛部の下側に設置する構成としたチャイルドシート。
【請求項３】
請求項１に記載のシート本体部及び／又は肘掛部に補強用の鋼材を挿入する構成としたチャイルドシート。
【請求項４】
請求項１に記載のシート本体部を二段に区画し、この各段を空気の吸入で膨張し、又はその排気で収縮可能とする構成としたチャイルドシート。
【発明の詳細な説明】
【技術分野】
【０００１】
本発明は、エアを利用して拡縮可能なチャイルドシートに関する。
【背景技術】
【０００２】
従来、演劇、ミュージカル、映画等の鑑賞の際に、シート（既設シートとする）に子供、又は座高の低い人、老人、その他の人で、目線が大人より低い位置にある人（チャイルド‥‥子供又は幼児とする）は、既設シートに着座した場合、目線が低い故に、観賞できない弊害がある。従って、大人の膝の上に乗せて鑑賞することが一般的である。これでは、大人も子供もゆったりとした雰囲気での鑑賞ができないこと、又は比較的長時間となる状況では、疲労が大きく、せっかくの楽しみが台無しになること等の弊害があった。
【０００３】
そして、これに関する文献には、文献（１）として実用新案登録第３００５９１６号の「携帯式子供用座布団」の考案がある。その構成は、劇場の椅子の座る部分の約２／３程度の寸法を有する子供用の座布団であって、この座布団は空気口より空気の吸入で膨張し、又はその排気で収縮する構造であり、その膨張を略約１５cmとする。そして、この座布団の後部には劇場の椅子に固定させるための座席固定用ベルトを設けて、この座布団に着座する子供の安定を図る為に、必要により、子供固定用ベルトを設けることもできる。この構成を採用することで、この劇場の椅子を、子供の目線に合った位置に変更できること（子供の目線を一般の大人の目線に合わせ得る）、またこの際に劇場の椅子を、子供用の座席に簡易かつワンタッチで変更できること、そして、必要により、携帯式子供用座布団としての利用もできること等の特徴がある。
【０００４】
【特許文献１】実用新案登録第３００５９１６号
【発明の開示】
【発明が解決しようとする課題】
【０００５】
この文献（１）は、子供の目線を、大人の目線に合わせ得ることができること、携帯式として利用できること等の特徴を有する。しかし、単にシート本体部（座席）の高さの調整であることから、既設シートにおいて、肘掛のない簡易型の既設シートでは、使用できない弊害が考えられる。そして、この例の如く、簡易型の既設シートでの使用の際には、子供の転落又は滑落等が発生、また怪我の発生等の弊害が考えられる。このような簡易型の既設シートは、公園、駅、スーパー等の公共施設が多く、問題の発生する頻度が大きいこと、殊に公園等の如く、子供が利用し易い施設では、大いに問題となる可能性がある。
【０００６】
上記に鑑み、本発明は、肘掛を備えたチャイルドシートを提供して、下記の効果を達成することを意図する。「１」子供の目線を、大人の目線に合わせることができるので、演劇、ミュージカル、映画等の鑑賞の際に、舞台の上の演劇、又は画面を自分の目で確認できる。また保護者も子供に煩わされずに、演劇、ミュージカル、映画等を鑑賞できる実益がある。「２」簡易型の既設シートに、セット（設置）又は固定的にセットすることで、子供の転落又は滑落等の発生を回避できる。「３」シートの肘掛部の下側に、チャイルドシートの肘掛部がセットできる構造とすることで、このチャイルドシートを違和感なく使用できること、また子供の着座の安全性が確保できること、さらに幼児の如く、背丈が低い子供（幼児とする）から、小学校等の背丈が高い子供への使用が図れ、かつ幼児の場合には、足をシートの上に載置できる構造として、より安心できる構造とすることができること等の実益が達成できる。「４」子供用品・婦人用のバックの中にワンタッチで収め得る折畳み可能で、コンパクトに収容できる構造として、婦人が携帯して使用するに最適な構成とすること、これと同時に低コスト化、使用等の取扱いの簡易化等を図る。「５」空気の出入れを利用して、ワンタッチで拡縮する簡易な取扱い（使用と収容）ができる。
【課題を解決するための手段】
【０００７】
請求項１の発明は、前述の「１」〜「５」の効果を達成することを意図する。また空気の吸入で膨張し、又はその排気で収縮する構造として、携帯に最適な構造とすることを意図する。
【０００８】
請求項１は、劇場、ミュージカル場、映画館等のシートにセットできる拡縮可能なチャイルドシートであって、
このチャイルドシートは、空気の吸入で膨張し、又はその排気で収縮するシート本体部と、このシート本体部に設けた当該シート本体部の少なくとも両サイドを囲繞する空気の吸入で膨張し、又はその排気で収縮する肘掛部とで構成し、このチャイルドシートは、膨張時にそのシート本体部の前端面部が、前記シートの前端面部より内側に位置する構成とし、前記シート本体の膨張を介して子供が大人の目線を確保できる構成としたチャイルドシートである。
【０００９】
請求項２の発明は、請求項１の目的を達成すること、又はこの目的を達成するのに最適な肘掛部付きのチャイルドシートを提供すること等を意図する。
【００１０】
請求項２は、請求項１に記載の肘掛部をシートの肘掛部の下側に設置する構成としたチャイルドシートである。
【００１１】
請求項３の発明は、請求項１の目的を達成すること、又はこの目的にさらに他の目的を達成できるチャイルドシートを提供すること等を意図する。
【００１２】
請求項３は、請求項１に記載のシート本体部及び／又は肘掛部に補強用の鋼材を挿入する構成としたチャイルドシートである。
【００１３】
請求項４の発明は、請求項１の目的を達成すること、又はこのチャイルドシートを多目的に使用すること、略全ての子供に最適な対応ができるチャイルドシートを提供すること等を意図する。
【００１４】
請求項４は、請求項１に記載のシート本体部を二段に区画し、この各段を空気の吸入で膨張し、又はその排気で収縮可能とする構成としたチャイルドシートである。
【発明の効果】
【００１５】
請求項１の発明は、劇場、ミュージカル場、映画館等のシートにセットできる拡縮可能なチャイルドシートであって、チャイルドシートは、空気の吸入で膨張し、又はその排気で収縮するシート本体部と、シート本体部に設けたシート本体部の少なくとも両サイドを囲繞する空気の吸入で膨張し、又はその排気で収縮する肘掛部とで構成し、チャイルドシートは、膨張時にシート本体部の前端面部が、シートの前端面部より内側に位置する構成とし、シート本体の膨張を介して子供が大人の目線を確保できる構成としたチャイルドシートである。
【００１６】
従って、請求項１は、前述の「１」〜「５」の効果を達成できる特徴がある。また空気の吸入で膨張し、又はその排気で収縮する構造であり、携帯に最適な構造のチャイルドシートを提供できる。
【００１７】
請求項２の発明は、請求項１に記載の肘掛部をシートの肘掛部の下側に設置する構成としたチャイルドシートである。
【００１８】
従って、請求項２は、請求項１の目的を達成できること、又はこの目的を達成するのに最適な肘掛部付きのチャイルドシートを提供できること等の特徴がある。
【００１９】
請求項３の発明は、請求項１に記載のシート本体部及び／又は肘掛部に補強用の鋼材を挿入する構成としたチャイルドシートである。
【００２０】
従って、請求項３は、請求項１の目的を達成できること、又はこの目的にさらに他の目的を達成できるチャイルドシートを提供できること等の特徴がある。
【００２１】
請求項４の発明は、請求項１に記載のシート本体部を二段に区画し、この各段を空気の吸入で膨張し、又はその排気で収縮可能とする構成としたチャイルドシートである。
【００２２】
従って、請求項４は、請求項１の目的を達成できること、又はこのチャイルドシートの多目的な使用を可能にしたこと、略全ての子供に最適な対応ができるチャイルドシートを提供できること等の特徴がある。
【発明を実施するための最良の形態】
【００２３】
以下、本発明の実施の態様（形態）を説明する。
【００２４】
１は劇場、ミュージカル場、映画館等のシートにセットできる拡縮可能なチャイルドシートで、このチャイルドシート１は区画された二つの部屋２、３で構成されたシート本体部１００と、このシート本体部１００（区画された部屋３）に設けた肘掛部１０１とで構成されている。この部屋２、３には空気用の口２０、３０が設けられており、この口２０、３０を利用して空気の吸入（吸込み）によって、部屋２、３を個別に拡縮する。そして、この例では、部屋３と肘掛部１０１とは連動されており、この部屋３の拡縮に追従する。勿論、部屋３とは区画され、肘掛部１０１のみが適宜拡縮する構成も可能であり、汎用性がある。またシート本体部１００の背側は開放構造とし、シートＡの背凭れを、このチャイルドシート１の背凭れとして利用する。これにより、着座者（幼児Ｈ）等がシートＡに安定して着座できること、チャイルドシート１のシートＡへの一体化が図れること、又はチャイルドシート１の折畳みの容易化と、携帯の利便性と、チャイルドシート１の小型化等が図れること等の特徴がある。尚、シート本体部１００に滑り止め、緊結手段等を設けて、シートＡからの滑り、滑落等の回避を図る。また図示の例の如く、肘掛部１０１は、シートＡの肘掛部Ａ−３の下側の例を示したが、肘掛部Ａ−３の内方(シートＡの内側)等の例も有り得る。そして、この下側の例では、シートＡとの一体感が図れること、後述する内方の例における特徴を達成できること等の実益がある。また内方の例では、特に幼児Ｈ(子供、人等)の年齢、又は体格等に順応できる利点と、落下の危険性回避等の面で有益である。またこの二つの部屋２、３の高さは、原則として、下側の部屋２が大きく、上側の部屋３を小さく構成するが、この二つの部屋２、３を同じとする構成、又は上側の部屋３が大きく、下側の部屋２を小さく構成する等の各種の方法が可能である。また二つの部屋２、３を同時に前側に傾斜する構成、また個別に傾斜する構成等も可能である。
【００２５】
図１〜図６の例は、チャイルドシート１の前端面部１ａは、シートＡの前端面部Ａ−１に対して、やや小さく構成されており（内側に位置する構成であり）、図３、図４の如く、幼児Ｈ（人）の足Ｈ−２が、載置できるスペースＡ−２が形成されることを特徴とする。これにより、図示の如く、幼児Ｈの目線Ｈ−３の位置が、図示しない大人の目線と略同じ高さ（位置となる）となる。そして、幼児は、シートＡの肘掛部Ａ−３を利用して、体勢を確保する。また図５、図６の如く、他の子供Ｈ−１（人）の場合には、部屋２の空気を排気して、一段構造の部屋３及び／又を肘掛部１０１とを利用して、着座するので、足Ｈ−２が床面等に載置される。この例では、空気の排気を介して、チャイルドシート１を収縮して折畳できるので、携帯に便利である。尚、肘掛部１０１は、シートＡの肘掛部Ａ−３の下側に収容される構成として、着座の容易化、着座面積の確保、体裁の向上等を図る。さらにこの肘掛部１０１の形状は、図例の如く、例えば、前側を低く、後部に向かって高くなる構成として、空気の容易な流れの確保・量の軽減・携帯の利便性、小型化、又は体裁の向上、また腕への馴染みの確保等を図ることも可能である。勿論、フラット又は逆方式（前側を高く、後部に向かって低くなる構成）の構造も可能である。この例では、肘掛としての安定性、幼児等への抱持感覚の確保等に役立つことが考えられる。
【００２６】
図７、図８はシートＡに肘掛部Ａ−３を有さない構造（簡易型の既設シート）に、本発明のチャイルドシート１を設置又は載置等した一例であり、前述の通りの特徴が確保できる。他の取扱いは前述の例に準ずる。
【００２７】
また図９、図１０はチャイルドシート１を補強して、前述の各例の効果、使用範囲等の一層の拡充、又は幼児おんぶ用として紐４を設けた構成であり、他の目的への使用等を意図したものである。この例では、補強として、チャイルドシート１又はシート本体部１００の下側に鋼材５、線材等を設けることも可能である。尚、補強構造は、他の例にも採用できる。またこの鋼材５を設ける例でも、適宜の手段を利用して折畳み可能とする。またチャイルドシート１の特性を損ねないことを意図し、この補強構造は、折畳み、又は入れ子式等を採用することも有り得る。
【００２８】
図１１はシート本体部１００の上側面部に凹部１０２を設け、子供Ｈ−１等の足Ｈ−２の収まりを良くすることも可能である。
【図面の簡単な説明】
【００２９】
【図１】本発明のチャイルドシートの一部を欠截する一例を示した斜視図
【図２】図１のチャイルドシートを、既設シートにセットした斜視図
【図３】図２の例において幼児が着座した状態の側面図
【図４】図３の正面図
【図５】図２の他の例において子供が着座した状態の側面図
【図６】図５の正面図
【図７】図１のチャイルドシートを、他のシート（簡易型の既設シート）にセットした側面図
【図８】図７の正面図
【図９】本発明のチャイルドシートの一部を欠截する他の一例を示した斜視図
【図１０】本発明のチャイルドシートのさらに他の一例を示した斜視図
【図１１】本発明のチャイルドシートの別の一例を示した斜視図
【符号の説明】
【００３０】
１            チャイルドシート
１ａ          前端面部
１００        シート本体部
１０１        肘掛部
１０２        凹部
２            部屋
２０          口
３            部屋
３０          口
４            紐
５            鋼材
Ａ            シート
Ａ−１        前端面部
Ａ−２        スペース
Ａ−３        肘掛部
Ｈ            幼児
Ｈ−１        子供
Ｈ−２        足
Ｈ−３        目線
【図１】
2005192859.tif 000003
【図２】
2005192859.tif 000004
【図３】
2005192859.tif 000005
【図４】
2005192859.tif 000006
【図５】
2005192859.tif 000007
【図６】
2005192859.tif 000008
【図７】
2005192859.tif 000009
【図８】
2005192859.tif 000010
【図９】
2005192859.tif 000011
【図１０】
2005192859.tif 000012
【図１１】
2005192859.tif 000013